(57)【要約】      （修正有）【課題】表示面積を拡大するとともに、回動角度を小さくして施錠・解錠操作を容易化した開閉状態表示付き錠前を提供する。【解決手段】戸の室内側と室外側とに取り付けられる取付座２，３と、室内側の取付座２に０°〜９０°の範囲で往復回動操作可能に嵌合されたロック用操作摘み４と、ロック用操作摘み４の０°の回動位置で戸の開閉を可能とし、９０°の回動位置で室外側からの戸の開閉をロックするロック機構５とを備え、室内側の取付座２及び室外側の取付座３にはロック用操作摘み４のアンロック状態とロック状態とを区別表示する表示板６を固定して設け、室内側の表示板６に対しては、ロック用操作摘み４自体に表示窓部４ａと隠蔽部４ｂとを設け、また、室外側の表示板に対しては、表示窓部と隠蔽部とを有する回転円板を前記ロック用操作摘み４と連動して回動するように設けた。【選択図】図１
0003144792.tif 000002
【実用新案登録請求の範囲】
【請求項１】
戸の室内側と室外側とに取り付けられる取付座と、室内側の取付座に０°〜９０°の範囲で往復回動操作可能に嵌合されたロック用操作摘みと、ロック用操作摘みの０°の回動位置で戸の開閉を可能とし、９０°の回動位置で室外側からの戸の開閉をロックするロック機構とを備えている錠前において、
室内側の取付座及び室外側の取付座にはロック用操作摘みの０°の回動位置でアンロック状態を表示し、９０°の回動位置でロック状態を表示する表示板を固定して設け、室内側の表示板に対しては、ロック用操作摘み自体に表示窓部と隠蔽部とを設け、また、室外側の表示板に対しては、前記ロック用操作摘みの０°の回動位置でアンロック状態を表示し、９０°の回動位置でロック状態を表示する表示窓部と隠蔽部とを有する回転円板を前記ロック用操作摘みと連動して回動するように設けたことを特徴とする開閉状態表示付き錠前。
【請求項２】
前記室内側及び室外側の表示板は、ロック用操作摘みの回転中心と同心の円形表示部とされ、この円形表示部には、ロック状態とアンロック状態とを異なる色彩、文字、記号の何れかのパターンで区別表示してあることを特徴とする請求項１に記載の開閉状態表示付き錠前。
【請求項３】
前記ロック用操作摘みの表示窓部と隠蔽部は、ロック用操作摘みの回転方向に９０°間隔で交互に形成されていることを特徴とする請求項１又は２に記載の開閉状態表示付き錠前。
【請求項４】
前記回転円板の表示窓部と隠蔽部は、回転円板の回転方向に等間隔で交互に複数個が形成されていることを特徴とする請求項１又は２に記載の開閉状態表示付き錠前。
【請求項５】
前記戸は、引き戸式のものに適用されていることを特徴とする請求項１〜４の何れかに記載の開閉状態表示付き錠前。
【請求項６】
前記戸は、開き戸式のものに適用されていることを特徴とする請求項１〜４の何れかに記載の開閉状態表示付き錠前。
【請求項７】
前記室内側の取付座及び室外側の取付座には、相互に連動して回転操作できるドアハンドルが嵌合されており、室内側のドアハンドル及び室外側のドアハンドルの回転中心部には、前記表示板が固定され、かつ、室内側のドアハンドルの回転中心部には、ロック用操作摘みが０°〜９０°の範囲で往復回動操作可能に嵌合されており、さらに、室外側のドアハンドルの回転中心部には、前記ロック用操作摘みの０°の回動位置でアンロック状態を表示し、９０°の回動位置でロック状態を表示する表示窓部と隠蔽部とを有する回転円板を前記ロック用操作摘みと連動して回動するように設けたことを特徴とする請求項１、２、３、４、６の何れか１つに記載の開閉状態表示付き錠前。
【考案の詳細な説明】
【技術分野】
【０００１】
本考案は、建物や部屋の出入り口の戸に取り付けられる開閉状態表示付き錠前に関するものである。
【背景技術】
【０００２】
従来、例えば、トイレ、風呂、子供部屋、その他、部屋や個室が使用中か不使用かを施錠・解錠操作に関連して室外に表示するようにした開閉状態表示付き錠前が公知である（例えば、特許文献１参照）。
【特許文献１】実開昭４８−４１６９９号公報
【考案の開示】
【考案が解決しようとする課題】
【０００３】
上記公知のものは、鎖錠円板と表示板とを兼用していること、及び、ハンドルを１８０°回動させていること、そのため、表示窓が半円分しか利用できず、表示面積が少ないため、見えにくく分かりにくい。また、ハンドルの１８０°の回動操作は、人間の片手で回せる回動角度としては大きすぎるため、施錠・解錠操作がし難い。
本考案は、表示面積を拡大するとともに、回動角度を小さくして施錠・解錠操作を容易化した開閉状態表示付き錠前を提供することを目的としている。
【課題を解決するための手段】
【０００４】
前記目的を達成するために本考案は、戸の室内側と室外側とに取り付けられる取付座と、室内側の取付座に０°〜９０°の範囲で往復回動操作可能に嵌合されたロック用操作摘みと、ロック用操作摘みの０°の回動位置で戸の開閉を可能とし、９０°の回動位置で室外側からの戸の開閉をロックするロック機構とを備えている錠前において、
室内側の取付座及び室外側の取付座にはロック用操作摘みの０°の回動位置でアンロック状態を表示し、９０°の回動位置でロック状態を表示する表示板を固定して設け、室内側の表示板に対しては、ロック用操作摘み自体に表示窓部と隠蔽部とを設け、また、室外側の表示板に対しては、前記ロック用操作摘みの０°の回動位置でアンロック状態を表示し、９０°の回動位置でロック状態を表示する表示窓部と隠蔽部とを有する回転円板を前記ロック用操作摘みと連動して回動するように設けたことを特徴としている。
【０００５】
前記室内側及び室外側の表示板は、ロック用操作摘みの回転中心と同心の円形表示部とされ、この円形表示部には、ロック状態とアンロック状態とを異なる色彩、文字、記号の何れかのパターンで区別表示してある。
前記ロック用操作摘みの表示窓部と隠蔽部は、ロック用操作摘みの回転方向に９０°間隔で交互に形成されている。
前記回転円板の表示窓部と隠蔽部は、回転円板の回転方向に等間隔で交互に複数個が形成されている。
【０００６】
前記戸は、引き戸式のものに適用されていてもよく、また、開き戸式のものに適用されていてもよい。
前記室内側の取付座及び室外側の取付座には、相互に連動して回転操作できるドアハンドルが嵌合されており、室内側のドアハンドル及び室外側のドアハンドルの回転中心部には、前記表示板が固定され、かつ、室内側のドアハンドルの回転中心部には、ロック用操作摘みが０°〜９０°の範囲で往復回動操作可能に嵌合されており、さらに、室外側のドアハンドルの回転中心部には、前記ロック用操作摘みの０°の回動位置でアンロック状態を表示し、９０°の回動位置でロック状態を表示する表示窓部と隠蔽部とを有する回転円板を前記ロック用操作摘みと連動して回動するように設けてもよい。
【考案の効果】
【０００７】
本考案によれば、表示面積を拡大するとともに、回動角度を小さくして施錠・解錠操作を容易化した開閉状態表示付き錠前を提供することができる。
【考案を実施するための最良の形態】
【０００８】
図１〜図５は本考案の第１実施形態を示すもので、戸１の室内側と室外側とに取り付けられる取付座２，３と、室内側の取付座２に０°〜９０°の範囲で往復回動操作可能に嵌合されたロック用操作摘み４と、ロック用操作摘み４の０°の回動位置で戸１の開閉を可能とし、９０°の回動位置で室外側からの戸１の開閉をロックするロック機構５とを備えている。
室内側の取付座２及び室外側の取付座３にはロック用操作摘み４の０°の回動位置でアンロック状態を表示し、９０°の回動位置でロック状態を表示する表示板６，７を固定して設け、室内側の表示板６に対しては、ロック用操作摘み４自体に表示窓部４ａと隠蔽部４ｂとを設け、また、室外側の表示板７に対しては、前記ロック用操作摘み４の０°の回動位置でアンロック状態を表示し、９０°の回動位置でロック状態を表示する表示窓部８ａと隠蔽部８ｂとを有する回転円板８を前記ロック用操作摘み４と連動して回動するように設けている。
【０００９】
第１実施形態の錠前の室内側の取付座２は、図３〜図４に示すように、円形又は四角形の取付フランジ２ａと、この取付フランジ２ａの中央部に形成された円形凹部２ｂとを有し、円形凹部２ｂの底部中央にロック用操作摘み４を回転自在に挿通する挿通孔２ｃが形成され、この挿通孔２ｃにロック用操作摘み４の軸部４ｃが挿通され、止め輪２ｄによって抜け止めされている。
室外側の取付座３は、図３〜図４に示すように、円形又は四角形の取付フランジ３ａと、この取付フランジ３ａの中央部に形成された円形凹部３ｂとを有し、円形凹部３ｂの底部中央に回転円板８を回転自在に挿通する挿通孔３ｃが形成され、この挿通孔３ｃに回転円板８の軸部８ｃが挿通され、止め輪３ｄによって抜け止めされている。
【００１０】
ロック用操作摘み４と回転円板８とは、双方の軸部４ｃ、８ｃに対向形成された角穴に嵌合された角軸９によって一体的に回転するように連結構成されており、この角軸９には、図５に示すように、ロック機構５のレバー５ａが嵌合されている。ロック機構５は、本体ケース５ｂ内に、レバー５ａと、このレバー５ａにピン５ｃで連結されて本体ケース５ｂから出没可能とされた鎌５ｄとを収納している。ロック用操作摘み４をロック状態に向けて回動操作すると、レバー５ａを介して鎌５ｄが本体ケース５ｂから突出し、この突出時、戸１の閉鎖端に対応して設けられた相手方の部材（柱、壁等）の係止孔５ｅに係合して戸１を閉鎖状態に保持させる。また、前記とは反対に、ロック用操作摘み４をロック解除状態に向けて回動操作すると、レバー５ａを介して鎌５ｄが前記係止孔５ｅから抜け出して本体ケース５ｂ内に没入して戸１の開放を可能とするものである。
【００１１】
室内側の取付座２と室外側の取付座３とは、室内側の取付座２側から２本の取付ネジ１０で戸１に挟持状態で取付固定されている。２本の取付ネジ１０は、ロック用操作摘み４の回転中心から１８０°対称な位置に配置されている。
室内側の取付座２の円形凹部２ｂの底部には、表示板６が取り付けられている。この表示板６は、取付座２の円形凹部２ｂの底部を利用しており、図１に示すように、円形の表示窓孔６ａが該底部に形成され、この表示窓孔６ａに裏側から樹脂６ｂを嵌め込んで固定し、この樹脂６ｂを赤色に着色している。この表示窓孔６ａは、２個形成されており、これら２個の表示窓孔６ａは取付座２の円形凹部２ｂの中心から１８０°対称な位置に形成され、前記取付ネジ１０とは９０°回転方向にずらせて形成している。
【００１２】
ロック用操作摘み４は、図１に示すように、回転中心の軸部４ｃの室内側端部に直交して延びる１枚羽根形状として形成されており、この羽根形状部が隠蔽部４ｂとされ、羽根のない部分が表示窓部４ａとされている。そのため、ロック用操作摘み４をロック位置（９０°の位置）としたとき、図１に示すように、１枚羽根形状の隠蔽部４ｂが取付ネジ１０を隠蔽し、羽根のない表示窓部４ａが表示板６の表示窓孔６ａを表示している。勿論、ロック用操作摘み４をアンロック位置（０°の位置）としたときには、表示板６の表示窓孔６ａが隠蔽部４ｂによって隠蔽され、取付ネジ１０が表示窓部４ａから表示されることになる。
【００１３】
また、室外側の取付座３の円形凹部３ｂの底部には、表示板７が取り付けられている。この表示板７は、薄い円板状とされ、取付座３の円形凹部３ｂの底部に貼り付け固定されている。この表示板７に対して、回転円板８は、図２に示すように、円板形状とされ、この円板の回転中心から等距離の位置の円周上（同心円上）に表示窓部８ａが円形小孔として６個等間隔で形成されている。そして、回転方向に隣接する表示窓部８ａの間が隠蔽部８ｂとされている。表示板７は、ロック用操作摘み４のロック位置では、表示窓部８ａから赤色が表示され、アンロック位置では、青色が表示されるように赤色に着色した領域と青色に着色した領域とが表示板７の円形表示部内に９０°ごとに区画して表示されている。
【００１４】
図６及び図７は、本考案の第２実施形態を示すもので、室内側の取付座２の表示板６の表示窓孔６ａの形状を長円形状とし、室外側の取付座３の回転円板８の表示窓部８ａの形状を台形形状としたもので、他の構成は、前記第１実施形態と同様である。
第１実施形態及び第２実施形態における室内側の取付座２に取り付けられる表示板６の表示パターンは、例えば、図８の（Ａ）〜（Ｈ）に示すようなものとすることができる。このうち図８の（Ａ）と（Ｅ）は、表示窓孔６ａを長円形状、（Ｂ）と（Ｆ）は円形状、（Ｃ）と（Ｇ）は倒立三角形状、（Ｄ）と（Ｈ）は正立三角形状とした場合を例示し、また、フランジの形状が円形のものが図９の（Ａ）〜（Ｄ）であり、四角形のものが図８の（Ｅ）〜（Ｈ）である。
【００１５】
室外側の取付座３に取り付けられる回転円板８の表示パターンは、例えば、図９の（Ａ）〜（Ｌ）に示すようなものとすることができる。このうち図９の（Ａ）は表示窓部８ａを扇形状に２個設けた場合、（Ｂ）は円形状に２個設けた場合、（Ｃ）は台形形状に２個設けた場合、（Ｄ）は渦巻き形状に２個設けた場合、（Ｅ）は長方形状の６個設けた場合、（Ｆ）は円形状の６個設けた場合、（Ｇ）は台形形状に６個設けた場合、（Ｈ）は渦巻き形状に６個設けた場合、（Ｉ）は長方形状に１０個設けた場合、（Ｊ）は円形状に１０個設けた場合、（Ｋ）は台形形状に１０個設けた場合、（Ｌ）は渦巻き形状に１０個設けた場合を例示している。上記２個の場合には、表示板７には、赤色領域と青色領域とを９０°の間隔で交互に形成され、６個の場合では、表示板７に赤色領域と青色領域とを３０°の間隔で交互に形成され、１０個の場合では、赤色領域と青色領域とを１８°の間隔で交互に形成されている。表示板７への赤色領域と青色領域の形成角度は、表示窓部８ａと隠蔽部８ｂとの形成個数によって等分割して形成されるものである。これらの場合フランジ３ａは円形の場合を例示しているが、四角形としてもよい。なお、室外側の取付座３に取り付けられる回転円板８の中心部には、コイン係合溝８ｄが形成され、非常時、室外側からコインによってロック解除操作を可能としている。
【００１６】
上記第１実施形態及び第２実施形態は、引き戸式の戸１に適用した場合を例示している。
図１０〜図１２は、本考案の第３実施形態であって、開き戸式の戸１に適用する場合の実施形態である。この第３実施形態は、室内側の取付座２及び室外側の取付座３には、相互に連動して回転操作できるドアハンドル１５，１６が嵌合されており、室内側のドアハンドル１５及び室外側のドアハンドル１６の回転中心部には、ロック状態とアンロック状態を表示する表示板６，７が固定され、かつ、室内側のドアハンドル１５の回転中心部には、ロック用操作摘み４が０°〜９０°の範囲で往復回動操作可能に嵌合されており、さらに、室外側のドアハンドル１６の回転中心部には、前記ロック用操作摘み４の０°の回動位置でアンロック状態を表示し、９０°の回動位置でロック状態を表示する表示窓部８ａと隠蔽部８ｂとを有する回転円板８を前記ロック用操作摘み４と連動して回動するように設けている。
【００１７】
室内側の取付座２の中心部には、ドアハンドル１５のボス部１５ａの小径軸部１５ｂを回動自在に挿通する挿通孔２ｆが形成されており、小径軸部１５ｂの先端には止め輪１５ｃが装着されてドアハンドル１５が挿通孔２ｆから抜け出すのを防止させている。この小径軸部１５ｂと取付座２との間には、ハンドル戻しバネ１５ｄが設けられている。
また、室外側の取付座３の中心部には、ドアハンドル１６のボス部１６ａの小径軸部１６ｂを回動自在に挿通する挿通孔３ｆが形成されており、小径軸部１６ｂの先端には止め輪１６ｃが装着されてドアハンドル１６が挿通孔３ｆから抜け出すのを防止させている。この小径軸部１６ｂと取付座３との間には、ハンドル戻しバネ１６ｄが設けられている。
【００１８】
室内側のドアハンドル１５のボス部１５ａの中心部を貫通して円形の貫通孔１５ｅが形成されており、この貫通孔１５ｅにロック用操作摘み４の軸部４ｃが回動自在に挿通されている。上記貫通孔１５ｅの室内側端部には凹部１５ｆが形成されており、この凹部１５ｆの底部に表示板６が貼り付け固着されている。そして、表示板６に対応してロック用操作摘み４が凹部１５ｆ内に収容されている。
また、室外側のドアハンドル１６ボス部１６ａの中心部を貫通して円形の貫通孔１６ｅが形成されており、この貫通孔１６ｅに回転板８の軸部８ｃが回転自在に挿通されている。上記貫通孔１６ｅの室外側端部には凹部１６ｆが形成されており、この凹部１６ｆの底部に表示板７が貼り付け固着されている。そして、表示板７に対応して回転円板８が凹部１６ｆ内に収容されている。
【００１９】
室内側のドアハンドル１５の貫通孔１５ｅの室外側端部には、角穴１５ｇが形成されており、また、室外側のドアハンドル１６の貫通孔１６ｅの室内側端部にも角穴１６ｇが形成されている。これら両方の角穴１５ｇと１６ｇには筒状の角軸１７の両端が嵌合されており、これによって、室内側のドアハンドル１５と室外側のドアハンドル１６とは、一体的に回動するように連結されている。
また、室内側のロック用操作摘み４の軸部４ｃと室外側の回転円板８の軸部８ｃとを一体的に回動するように連結するための連結軸１８が角軸１７内を貫通して設けられており、この連結軸１８は板状とされ、角軸１７内で独立して回動できるように挿通されている。連結軸１８の両端は、ロック用操作摘み４の軸部４ｃの室外側端部と回転円板８の軸部８ｃの室内側端部とに設けられている溝部４ｅ、８ｅに差し込み嵌合されている。
【００２０】
回転円板８の軸部８ｃと室外側のドアハンドル１６の小径軸部１６ｂと室外側の取付座３の挿通孔３ｆとの間にはロック機構５がが設けられている。このロック機構５は、図１３の（Ａ）（Ｂ）に示すように、円形の軸部８ｃの一部に切り欠き凹部８ｆが形成され、これに対応してロック爪５ｆがドアハンドル１６の小径軸部１６ｂの保持孔１６ｈに径方向へ出没可能に収容されている。保持孔１６ｈは、小径軸部１６ｂを径方向に貫通して形成されており、この保持孔１６ｈに対向して、取付座３の挿通孔３ｆには、径方向に貫通する係止孔３ｇが形成されている。
【００２１】
ロック爪５ｆは、図１３の（Ａ）のように、回転円板８の軸部８ｃの切り欠き凹部８ｆと対応しているとき、係止孔３ｇから退入して室外側からドアハンドル１６を自由に回すことができるが、図１３の（Ｂ）のように、円形部と対応するときには、径方向外方に押し出されて突出し、係止孔３ｇに係合する。これにより、ドアハンドル１６は、取付座３と一体化され、自由に回すことができなくなる。係止孔３ｇの径方向外側には、ロック爪５ｆを径方向内方に弾圧する戻しバネ１９が取付座３内に設けられている。
切り欠き凹部８ｆの形成位置は、ロック用操作摘み４の０°の時にロック爪５ｆと対応して退入させ、９０°のときに円形部と対応してロック爪５ｆを突出させるような関係とされている。
【００２２】
ロック用操作摘み４の表示窓部４ａと隠蔽部４ｂの構成は、第１・第２実施例と同様とされている。そして、室内側の表示板６の構成は、図９の（Ａ）や（Ｂ）に示すパターンとされている。また、回転円板８の表示窓部８ａと隠蔽部８ｂの構成及び表示板７の表示部の構成は、例えば、図１４の（Ａ）〜（Ｌ）及び図１５の（Ａ）〜（Ｊ）のようなパターンとすることができる。
即ち、前記室内側及び室外側の表示板６，７は、ロック用操作摘み４の回転中心と同心の円形表示部とされ、この円形表示部には、ロック状態とアンロック状態とを異なる色彩、文字、記号の何れかのパターンで区別表示される。例えば、色彩の場合は、青色と赤色とで区別させることができ、また、他の色彩（例えば、白黒、その他の組み合わせ）で区別させてもよく、その際、蛍光色を採用してもよい。文字の場合は、「ＯＰＥＮ」と「ＣＬＯＳＥ」、「開」と「閉」その他、一方だけ表示し、他方は無表示（無地）としてもよい。そして、記号の場合は、図１４の（Ａ）〜（Ｌ）及び図１５の（Ａ）〜（Ｉ）に示すようなパターンを採用することができる。
【００２３】
上記第３実施形態は、レバー式のドアハンドルを例示したが、握り玉式のドアハンドルに適用することも可能である。これら開き戸式の戸に適用するものは、ドアハンドル１５，１６を連結している角軸１７の部分にラッチ操作機構（図示省略）が連結されるものであり、ハンドル戻しバネ１５ｄ、１６ｄは、ラッチを突出状態にするために設けられているものである。また、これらの実施形態においても、室外側の回転円板８の中央部には、コイン係合溝８ｄが形成され、非常時、室外側からコインによってロック解除操作を可能としている。
【図面の簡単な説明】
【００２４】
【図１】本考案の第１実施形態を示す錠前の室内側からみた斜視図である。
【図２】本考案の第１実施形態を示す錠前の室外側からみた斜視図である。
【図３】第１実施形態の錠前の中央縦断側面図である。
【図４】第１実施形態の錠前の９０°異なる位相での中央縦断側面図である。
【図５】第１実施形態の錠前の中央縦断正面図である。
【図６】本考案の第２実施形態を示す錠前の室内側からみた斜視図である。
【図７】本考案の第２実施形態を示す錠前の室外側からみた斜視図である。
【図８】（Ａ）〜（Ｈ）はロック用操作摘みと表示板との表示パターン例である。
【図９】（Ａ）〜（Ｌ）は回転円板と表示板との表示パターン例である。
【図１０】本考案の第３実施形態を示す錠前の室内側正面図である。
【図１１】本考案の第３実施形態を示す錠前の室外側正面図である。
【図１２】第３実施形態の錠前の中央縦断側面図である。
【図１３】（Ａ）（Ｂ）は第３実施形態の錠前のロック機構部分のアンロック状態とロック状態の縦断正面図である。
【図１４】（Ａ）〜（Ｌ）は第３実施形態の錠前の回転円板と表示板との表示パターン例である。
【図１５】（Ａ）〜（Ｋ）は第３実施形態の錠前の回転円板と表示板との別の表示パターン例である。
【符号の説明】
【００２５】
１    戸
２    室内側の取付座
３    室外側の取付座
４    ロック用操作摘み
５    ロック機構
６    室内側の表示板
７    室外側の表示板
８    回転円板
９    角軸
１０    取付ネジ
１５    室内側のドアハンドル
１６    室外側のドアハンドル
１７    筒状の角軸
１８    板状に連結軸
【図１】
0003144792.tif 000003
【図２】
0003144792.tif 000004
【図３】
0003144792.tif 000005
【図４】
0003144792.tif 000006
【図５】
0003144792.tif 000007
【図６】
0003144792.tif 000008
【図７】
0003144792.tif 000009
【図８】
0003144792.tif 000010
【図９】
0003144792.tif 000011
【図１０】
0003144792.tif 000012
【図１１】
0003144792.tif 000013
【図１２】
0003144792.tif 000014
【図１３】
0003144792.tif 000015
【図１４】
0003144792.tif 000016
【図１５】
0003144792.tif 000017